(57)【要約】【課題】  外部記録媒体から記録媒体への画像データの書き替えを行なう際に、書き込みデータサイズを所望のサイズ設定、乃至は画像単位でサイズ設定する。【解決手段】  画像取込部１３によって外部記録媒体から取り込まれた画像をモニタ１１に表示する表示制御部１５３と、モニタ１１に表示中の画像をＣＤへ書き込む際のデータサイズが操作受付部１２を介して受付けられた場合、当該書き込み用サイズ情報を画像データと関連付けて画像特性情報記憶部１６２に記憶する受付処理部１５１と、取り込まれた画像データの縦横の画素数が所定のプリントサイズの縦横のピクセル数と同一又はそれ以上になるべく、画像データに対して拡大又は縮小処理を施す第１サイズ変換部１５４ａと、拡大又は縮小後の画像データからプリントサイズの画像データを切り取って、当該画像データを書き込み用サイズに変換する第２サイズ変換部１５４ｂとを備える。【選択図】      図２
2006060526.tif 000002
【特許請求の範囲】
【請求項１】
外部記録媒体に記録された撮影に関する画像の画像データを取り込む画像取込手段と、取り込んだ画像データをプリント出力に対応するデータサイズに変換するプリント用データサイズ変換手段とを備えた写真処理装置において、
外部からの指示を受け付ける操作受付部と、
取り込んだ画像をモニタに表示する表示制御手段と、
前記操作受付部で受け付けた指示に応じて、表示された画像の画像データを記録媒体へ書き込むときのデータサイズに変換する書込用データサイズ変換手段とを備えたことを特徴とする写真処理装置。
【請求項２】
前記書込用データサイズ変換手段は、個々の画像に対してデータサイズの変更が可能であることを特徴とする請求項１記載の写真処理装置。
【請求項３】
前記書込用データサイズ変換手段は、前記プリント出力に対応するデータサイズ以下の複数種類のデータサイズへの変換を提示する提示手段と、提示された複数種類のデータサイズの中から１つのデータサイズを選択する選択手段とを備え、表示された画像の画像データを選択されたデータサイズに変換することを特徴とする請求項１又は２記載の写真処理装置。
【請求項４】
前記提示手段は、前記記録媒体へ書き込むときのデータサイズを、前記プリント出力に対応するデータサイズを基準にした表記方法で表示するものであることを特徴とする請求項３に記載の写真処理装置。
【発明の詳細な説明】
【技術分野】
【０００１】
本発明は、外部記録媒体に記録された撮影に関する画像の画像データを取り込む画像取込手段と、取り込んだ画像データをプリント出力に対応するデータサイズに変換するプリント用データサイズ変換手段とを備えた写真処理装置に関する。
【背景技術】
【０００２】
近年、写真店やＤＰ店では、受付端末装置、デジタルプリンタ及びＣＤ書込装置を備える写真処理装置によって、フィルムから写真のプリント処理を行うサービスに加え、小型メモリカード等の外部記録媒体に格納された撮影画像等の画像データをＣＤ等の記録媒体に記録し替えるサービスも提供している。外部記録媒体からのＣＤへの画像データの書き替えを行なう際は、受付端末装置によって外部記録媒体から取り込んだ画像データを一律にプリント仕様のデータサイズ又は注文者により指定されたデータサイズに変換し、ＣＤ書込装置によってデータサイズ変換後の画像データをＣＤに記録する。
【発明の開示】
【発明が解決しようとする課題】
【０００３】
しかしながら、外部記録媒体から取り込んだ画像の中にリプリントを希望する画像とそうでない画像が混在する場合にまで、全ての画像データを一律にプリント仕様のデータサイズでＣＤに記録すると、ＣＤの記録容量を無駄に使用してしまうこととなる。逆に、全ての画像データをプリント仕様のデータサイズより小さい解像度でＣＤに記録した場合、リプリントの際の画質劣化につながる。
【０００４】
本発明は上記課題に鑑みてなされたもので、外部記録媒体からの記録媒体への画像データの書き替えを行なう際に、記録媒体へ書き込む際のデータサイズを所望のサイズ設定、乃至は画像単位でサイズ設定できる写真処理装置を提供することを目的とする。
【課題を解決するための手段】
【０００５】
請求項１に係る写真処理装置は、外部記録媒体に記録された撮影に関する画像の画像データを取り込む画像取込手段と、取り込んだ画像データをプリント出力に対応するデータサイズに変換するプリント用データサイズ変換手段とを備えた写真処理装置において、外部からの指示を受け付ける操作受付部と、取り込んだ画像をモニタに表示する表示制御手段と、前記操作受付部で受け付けた指示に応じて、表示された画像の画像データを記録媒体へ書き込むときのデータサイズに変換する書込用データサイズ変換手段とを備えたことを特徴とする。
【０００６】
上記構成によれば、外部記録媒体から取り込んだ画像データがプリント用データサイズ変換手段によってプリント出力に対応するデータサイズに変換される。また、外部記録媒体から取り込んだ画像がモニタに表示され、モニタに表示された画像の画像データの記録媒体に書き込むときのデータサイズが操作受付部によって受け付けられると、書込用データサイズ変換手段によって外部記録媒体記憶部から取り込んだ画像データが指定されたデータサイズに変換される。従って、プリント出力に対応するデータサイズとは関係なく、所望の（画像の後の利用態様が反映されて）データサイズでのＣＤへの書き込みが可能となる。
【０００７】
請求項２に係る写真処理装置は、請求項１記載の写真処理装置において、前記書込用データサイズ変換手段は、個々の画像に対してデータサイズの変更が可能であることを特徴とする。
【０００８】
上記構成によれば、書込用データサイズ変換手段によって、個々の画像に対してデータサイズの変更が可能であるため、例えば、画像の用途に応じてリプリントを必要とする画像はプリント出力に対応するデータサイズに、それ以外の画像はプリント出力に対応するデータサイズより小さいサイズに変換され、記録媒体へ書き込まれる。これにより、１枚の記録媒体により多くの画像の書き込みが可能となり、記録媒体の有効利用が実現される。
【０００９】
請求項３に係る写真処理装置は、請求項１又は２記載の写真処理装置において、前記書込用データサイズ変換手段は、前記プリント出力に対応するデータサイズ以下の複数種類のデータサイズへの変換を提示する提示手段と、提示された複数種類のデータサイズの中から１つのデータサイズを選択する選択手段とを備え、表示された画像の画像データを選択されたデータサイズに変換することを特徴とする。
【００１０】
上記構成によれば、プリント出力に対応するデータサイズ以下の複数種類のデータサイズへの変換が提示手段によって提示される。さらに提示された複数種類のデータサイズの中から１つのデータサイズが選択手段によって選択されると、書込用データサイズ変換手段によって表示された画像の画像データが選択されたデータサイズに変換されるため、画像データを記録媒体へ書き込むときのデータサイズとして、画像の用途等に応じて複数段階の選択が可能となる。
【００１１】
請求項４に係る写真処理装置は、請求項３に記載の写真処理装置において、前記提示手段は、前記記録媒体へ書き込むときのデータサイズを、前記プリント出力に対応するデータサイズを基準にした表記方法で表示するものであることを特徴とする。
【００１２】
上記構成によれば、提示手段によって、記録媒体へ書き込むときのデータサイズが、プリント出力に対応するデータサイズを基準にした表記方法で表示されるため、操作者による各サイズの把握が容易となる。
【発明の効果】
【００１３】
請求項１に係る写真処理装置によれば、外部記録媒体から取り込まれた画像データを記録媒体へ書き込むときのデータサイズに変換する書込用データサイズ変換手段を備えているので、画像データのＣＤへの書き込みをプリント出力に対応するデータサイズとは関係なく、所望のデータサイズで行なうことが可能である。
【００１４】
請求項２に係る写真処理装置によれば、外部記録媒体から取り込まれた個々の画像に対してデータサイズの変更が可能であるので、画像の用途に応じて個々の画像のデータサイズを変更して記録媒体に書き込むことができ、記録媒体の有効利用を実現することができる。
【００１５】
請求項３に係る写真処理装置によれば、画像データを記録媒体へ書き込むときのデータサイズとして、プリント出力に対応するデータサイズ以下の複数種類のデータサイズの中から１つのデータサイズを選択することができるので、画像の用途に応じた複数段階の選択を実現することができる。
【００１６】
請求項４に係る写真処理装置によれば、記録媒体へ書き込むときのデータサイズを、プリント出力に対応するデータサイズを基準にした表記方法で表示するので、操作者による各サイズの把握を容易にすることができる。
【発明を実施するための最良の形態】
【００１７】
図１は本発明に係る写真処理装置の外観斜視図の一例を示すものである。写真処理装置は、受付装置１０、ＣＤ処理装置２０及びデジタルプリンタ３０を備える。受付装置１０は、読み込んだ画像やプリント処理を行う際の各種指示を入力するための操作画面などを表示するためのモニタ１１と、外部からの操作を受け付ける図略のキーボード等からなる操作受付部（操作受付部、選択手段に相当する）１２と、複数種類のメディア（外部記録媒体）が挿入、取り出し可能に構成され、各メディアに格納される画像データの取り込みを行う画像取込部（画像取込手段に相当する）１３とを備える。画像取込部１３は、例えばＣＤ−Ｒ／ＲＷ（CD  recordable／rewritable），ＤＶＤ(digital versatile disk)等のディスク状記録媒体に格納された画像データを取り込む取込部１３ａと、ディジタルカメラで撮影された画像データを格納するスマートメディア（登録商標）等の小型メモリーカードに格納された画像データを取り込む取込部１３ｂ、フロッピー（登録商標）ディスクに格納された画像データを取り込む取込部１３ｃとを備える。
【００１８】
受付装置１０は、操作受付部１２を介して注文情報を受け付けると共に、画像取込部１３によりメディアに格納された画像データを読み出して、後述するＨＤＤ１６に記憶し、必要に応じてＣＤ処理装置２０及びデジタルプリンタ３０等に対して送信するものである。
【００１９】
ＣＤ処理装置２０は、筐体の手前右側に配置された書き込み前のＣＤ−Ｒ又はＣＤ−ＲＷ（以下これらを総称してＣＤという）をストックするストック部２１と、筐体の手前左側に配置され、書き込み前のＣＤに画像データの書き込みを行うヘッドを有するＣＤライタ２２と、書き込み前のＣＤをストック部２１からＣＤライタ２２に移送するべく真空吸着式及び左右スライド構造を有する移送部２３と、ＣＤ処理装置２０の全体の動作を制御するマイクロコンピュータ、メモリ等からなる制御部（図示省略）とを備えている。
【００２０】
デジタルプリンタ３０は、それぞれ幅の異なる複数種類（例えば２種類）の長尺印画紙を巻回収納したマガジン３１，３２と、該マガジン３１，３２から引き出した印画紙を所定サイズに切断し、切断された印画紙片上に受付装置１０から送信された画像（画像データ）を露光する露光部（図示省略）と、露光された印画紙片を現像、漂白、定着及び安定化処理する現像処理部（図示省略）と、現像された印画紙片を乾燥する乾燥部３３と、乾燥後の印画紙片をオーダ単位に仕分けて排出するソータ３４と、装置全体の動作を制御するマイクロコンピュータ、メモリ等からなる制御部（図示省略）とを備える。  図２は受付装置１０の制御部１５の構成を示すブロック図である。制御部１５は、受付装置１０全体の動作を制御するものであり、図１に示すモニタ１１、操作受付部１２及び画像取込部１３と接続されている。また、制御部１５には、通信部１４が接続されている。通信部１４は、画像取込部１３で取り込まれた画像データやＣＤ処理装置２０又はデジタルプリンタ３０の処理を制御するための制御データをＣＤ処理装置２０又はデジタルプリンタ３０に出力するものである。制御部１５は、ＣＰＵ（Central Processing Unit）（図示省略）と、処理途中のデータを一時的に格納するＲＡＭ（Random Access Memory）（図示省略）と、ＣＤ処理装置２０及びデジタルプリンタ３０の各種動作を制御するプログラム、各種画像を構成する画面データ等を予め記憶するＲＯＭ（Read Only Memory）（図示省略）とを備える。
【００２１】
ＨＤＤ１６は、メディアから取り込まれた画像データを格納する取込画像記憶部１６１と、取り込まれた画像データの識別情報、画像データのサイズを特定するサイズ情報等を含む画像特性情報を記憶する画像特性情報記憶部１６２と、取込画像記憶部１６１に記憶されている画像データのサイズ変換処理後の画像データを記憶する変換画像記憶部１６３とを備える。変換画像記憶部１６３は、後述する第１サイズ変換部１５４ａによってプリント用に拡大又は縮小された画像データを記憶するプリント用データ記憶部１６３ａと、後述する第２サイズ変換部１５４ｂによって画像データのＣＤへ書き込む際のデータサイズ（以下、「書き込み用サイズ」という）への変換処理後の書込用の画像データを記憶する書込用データ記憶部１６３ｂとを備える。
【００２２】
制御部１５は、受付処理部１５１、画像取込制御部１５２、表示制御部１５３、サイズ変換部１５４、記憶制御部１５５、書き込み制御部１５６及びプリント制御部１５７を備える。受付処理部１５１は、操作受付部１２を介して入力される各種指示に対する受付処理を行うものである。また、受付処理部１５１は、操作受付部１２を介して画像データの書き込み用サイズが指示されると、当該指示された書き込み用のサイズ情報を取り込み画像データと関連付けて画像特性情報記憶部１６２に書き込ませるものである。
【００２３】
画像取込制御部１５２は、画像取込部１３を介して取り込まれる画像データを取込画像記憶部１６１へ書き込ませると共に、画像データのサイズ情報等を含む画像特性情報を取り込み画像データと関連付けて画像特性情報記憶部１６２に書き込ませるものである。
【００２４】
表示制御部１５３（表示制御手段、提示手段に相当する）は、ＣＤへの書き込み処理又はプリント処理を行う際の各種指示を促す入力画面や取り込んだ画像をモニタ１１上に表示するものである。また、表示制御部１５３は、メディアから取り込まれた各画像データのプリントサイズ（デジタルプリンタ３０のプリント出力に対応するデータサイズ）以下の複数種類の書き込み用サイズへの変換を提示する画面をモニタ１１上に表示し、提示された複数種類の書き込み用サイズの中から１つの書き込み用サイズが操作受付部１２によって選択されると、画像毎に選択された書き込み用サイズを対応させて表示するものである。さらに、表示制御部１５３は、画像データの書き込み用サイズを、プリントサイズを基準にした表記方法（態様）でモニタ１１に表示するものである。
【００２５】
サイズ変換部１５４は、第１サイズ変換部１５４ａ及び第２サイズ変換部１５４ｂを備える。第１サイズ変換部１５４ａは、取込画像記憶部１６１に記憶されている各画像データの縦横の画素数が所定のプリントサイズ、例えば２０４８×３０７２（ピクセル）の縦横のピクセル数と同一又はそれ以上になるべく、画像データに対して拡大あるいは縮小処理を施すものである。また、第２サイズ変換部１５４ｂ（書込用データサイズ変換手段に相当する）は、第１サイズ変換部１５４ａによってプリント用に拡大又は縮小された画像データからプリントサイズの画像データを切り取って、当該画像データを関連付けられた書き込み用サイズ情報に基づき、書き込み用サイズと同一又は縮小するものである。
【００２６】
記憶制御部１５５は、ＨＤＤ１６へのデータの書き込み及び読み出し制御を行なうものであって、第１サイズ変換部１５４ａによってプリント用に拡大又は縮小された画像データをプリント用データ記憶部１６３ａに書き込み、第２サイズ変換部１５４ｂによって書き込み用サイズに変換された画像データを書込用データ記憶部１６３ｂに記憶するものである。
【００２７】
図３は、第１サイズ変換部１５４ａ及び第２サイズ変換部１５４ｂによる画像データのサイズ変換処理の一例を説明するためのデータ図である。（ａ１）はプリントサイズ（１６ＢＡＳＥ）の画像データのイメージ図であり、（ｂ１）はメディアから取り込まれた画像データのイメージ図であり、（ｃ１）はプリント用に拡大又は縮小された画像データのイメージ図である。１６ＢＡＳＥの画像データのデータサイズは、縦横にそれぞれ所要ピクセル分ずつの画素データ数、例えば、２０４８×３０７２（ピクセル）分の画素データ数であって、メディアから取り込まれた画像データのデータサイズは、例えば縦横にｎ×ｍ（画素）である。第１サイズ変換部１５４ａは、画像データの縦横の画素数を比較し、いずれか小さい方の画素数をプリントサイズの縦ピクセル数又は横ピクセル数に一致させるべく画像データの拡大又は縮小処理を行うものであり、ここでは値ｎをプリントサイズの縦ピクセル数に一致させるために、画像データの縦横の画素数に対し２０４８／ｎ倍のデータ量拡大処理を施す。更に第２サイズ変換部１５４ｂは、拡大又は縮小後の画像データからプリントサイズの画像データを切り取って、設定された書き込み用サイズ情報が例えば４ＢＡＳＥである場合、プリントサイズの画像データの縦横の画素数（２０４８×３０７２）に対し１／４倍の縮小処理を施す。
【００２８】
書き込み制御部１５６（書き込み制御手段に相当する）は、書込用データ記憶部１６３ｂに記憶されている書き込み用サイズに変換後の画像データをＣＤに書き込ませる書き込み指示信号を通信部１４を介してＣＤ処理装置２０に出力するものである。なお、書き込み制御部１５６は、受付装置１０の代わりにＣＤ処理装置２０側に設ける態様でもよい。
【００２９】
プリント制御部１５７は、プリント用データ記憶部１６３ａに記憶されている画像データからプリントサイズの画像データを切り取って、当該プリントサイズの画像データをプリント処理させるプリント指示信号を通信部１４を介してデジタルプリンタ３０に出力するものである。なお、プリント制御部１５７は、受付装置１０の代わりにデジタルプリンタ３０側に設ける態様でもよい。
【００３０】
次に、図４及び図５を用いて受付装置１０でＣＤへの書き込み注文を行う際にモニタ１１に表示される画面図について説明する。図４は、モニタ１１に表示されるオーダ画面Ｇ１の一例を示す画面図である。オーダ画面Ｇ１には、画像データのプリントサイズ及びプリント部数等のプリント条件を入力するためのプリント条件入力部２０１と、画像データの出力サイズ及びフォーマット等の書き込み条件を入力するための書き込み条件入力部２０２と、各種メディアの中からメディアを選択するためのメディア選択キー２０３と、設定内容を確定するためのスタートキー２０４とが表示されている。
【００３１】
図５（ａ）は、オーダ画面Ｇ１でスタートキー２０４が選択されたときのモニタ１１に表示されるサイズ設定画面Ｇ２の一例を示す画面図である。サイズ設定画面Ｇ２には、その画面の一部適所、例えば中央部にメディアから読み取られた画像の縮小画像３０１ａ〜３０１ｆが表示され、各画像の縮小画像３０１ａ〜３０１ｆの下方にそれぞれ対応して各画像の書き込み用サイズ情報を入力するためのサイズ設定部３０２ａ〜３０２ｆが表示されている。また、画面の他の適所、例えば画面下部に、モニタ１１に表示されている各画像データのデータサイズを対応するサイズ設定部３０２ａ〜３０２ｆで設定された書き込み用サイズに変換し、書き込み用サイズに変換後の画像データをＣＤへ書き込ませる指示を入力するための書き込みキー３０３と、モニタ１１に表示されている各画像データのデータサイズを対応するサイズ設定部３０２ａ〜３０２ｆで設定された書き込み用サイズに変換し、データサイズ変換後の画像データをＣＤへ書き込ませる指示を入力すると共に、プリントサイズの画像データをプリント処理させるプリント指示を入力するための同時処理キー３０４とが表示される。
【００３２】
各サイズ設定部３０２ａ〜３０２ｆが左クリックされると、図５（ｂ）に示すようにプリントサイズ以下の複数種類のデータサイズを示すプルダウンメニューが表示され、さらにこの中から１つがクリックされると、画像データの書き込み用サイズが設定される。ここでプルダウンメニューに含まれる１６ＢＡＳＥは、プリントサイズの解像度である２０４８×３０７２（ピクセル）、４ＢＡＳＥはプリントサイズの１／４の解像度である５１２×７６８（ピクセル）、ＢＡＳＥはプリントサイズの１／１６の解像度である１２８×１９２（ピクセル）、１／４ＢＡＳＥはプリントサイズの１／６４の解像度である３２×４８（ピクセル）を示す。このように書き込み用サイズを、プリントサイズを基準にした表記方法で表すため、注文者による書き換え用サイズの把握が容易となる。
【００３３】
図６は、受付装置１０によりＣＤへの書き込み注文を受け付けた際の制御部１５による処理の一例を説明するフローチャートである。まず、オーダ画面Ｇ１がモニタ１１に表示され（ステップＳ１）、画像データの出力サイズ及びフォーマット等の書き込み条件や画像取込対象のメディアの設定が行なわれると共に、必要に応じて画像データのプリントサイズ及びプリント部数等のプリント条件が設定される（ステップＳ３）。
【００３４】
次いで、オーダ画面Ｇ１においてスタートキー２０４が押下されたか否かが判断され（ステップＳ５）、スタートキー２０４が押下された場合は（ステップＳ５でＹｅｓ）、ステップＳ３で選択されたメディアが画像取込部１３に装填されているか否かが画像取込制御部１５２によって判断される（ステップＳ７）。メディアが画像取込部１３に装填されている場合は（ステップＳ７でＹｅｓ）、画像取込部１３により当該メディアに格納される画像データが取り込まれる（ステップＳ９）。そして、画像取込制御部１５２によって、取り込まれた画像データが取込画像記憶部１６１に記憶されると共に、取り込まれた画像データのサイズ情報等を含む画像特性情報が画像特性情報記憶部１６２に記憶される。さらに、取込画像記憶部１６１に記憶されている各画像の画像データは、第１サイズ変換部１５４ａによりプリントサイズと同一又はそれ以上のデータサイズに変換された後、サイズ変換後の画像データは、記憶制御部１５５によってプリント用データ記憶部１６３ａに記憶される（ステップＳ１１）。
【００３５】
次いで、メディアから取り込まれた各画像データを含むサイズ設定画面がモニタ１１に表示される（ステップＳ１３）。さらに受付処理部１５１によって各画像の書き込み用サイズ情報の受け付けが行なわれ（ステップＳ１５）、受け付けられた書き込み用サイズ情報が各画像データに関連付けられ画像特性情報記憶部１６２に記憶される（ステップＳ１７）。
【００３６】
続いて、ステップＳ１９で書き込みキー３０３が選択されると、第２サイズ変換部１５４ｂによってプリント用データ記憶部１６３ａに記憶されている各画像データからプリントサイズの画像データが抽出された後、各画像データに関連付けられた書き込み用サイズ情報に基づき、プリントサイズの画像データから書き込み用サイズの画像データに変換され、書き込み用サイズに変換された画像データは、記憶制御部１５５によって書込用データ記憶部１６３ｂに記憶される（ステップＳ２１）。具体的には、画像データの書き込み用サイズが１６ＢＡＳＥである場合は、第２サイズ変換部１５４ｂによる画像データに対するサイズ変換処理は行なわれず、画像データの書き込み用サイズが４ＢＡＳＥ、ＢＡＳＥ、１／４ＢＡＳＥのいずれかである場合、第２サイズ変換部１５４ｂによってプリントサイズの画像データはそれぞれ１／４、１／１６、１／６４に縮小される。さらに、書き込み制御部１５６によって書き込み用サイズに変換された各画像データ及びＣＤへの書き込み指示がＣＤ処理装置２０へ出力されることによって、ＣＤ処理装置２０への書き込み制御が行なわれる（ステップＳ２３）。
【００３７】
一方、ステップＳ１９で同時処理キー３０４が選択されると、第２サイズ変換部１５４ｂによってプリント用データ記憶部１６３ａに記憶されている各画像データからプリントサイズの画像データが抽出された後、各画像データに関連付けられた書き込み用サイズ情報に基づき、プリントサイズの画像データから書き込み用サイズの画像データに変換され、書き込み用サイズに変換された画像データは、記憶制御部１５５によって書込用データ記憶部１６３ｂに記憶される（ステップＳ２５）。さらに、書き込み制御部１５６によって書き込み用サイズに変更された各画像データ及びＣＤへの書き込み指示がＣＤ処理装置２０へ出力されることによって、ＣＤ処理装置２０への書き込み制御が行なわれる（ステップＳ２７）。また、プリント制御部１５７によってプリントサイズの画像データ及びプリント指示がデジタルプリンタ３０へ出力されることによって、デジタルプリンタ３０へのプリント制御が行なわれる（ステップＳ２９）。
【００３８】
このように本実施形態によれば、メディアから取り込まれた画像データのＣＤへの書き込みの際に各画像データの書き込み用サイズを設定可能であるため、リプリントの可能性がある画像の書き込み用サイズはプリントサイズを設定し、リプリントサイズの可能性がない画像にはプリントサイズより低い書き込み用サイズを設定する等、画像の用途、リプリントの可能性等を考慮して各画像の書き込み用サイズを設定することができ、ＣＤの記憶容量の有効利用が可能となる。
【００３９】
また、プリントの同時処理が指示されると、書き込み用サイズに変換された画像データのＣＤ処理装置によるＣＤへの書き込み処理と同時に、プリントサイズに変換された画像データのデジタルプリンタ３０によるプリント処理が行なわれるため、画像データを記録する記録媒体の種類に応じて適切なデータサイズでの記録が可能となる。
【００４０】
なお、本発明は以下の形態をとることができる。
【００４１】
（Ａ）本実施形態では、画像データをＣＤ−Ｒ／ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【００４２】
（Ｂ）本実施形態では、外部記録媒体としてＣＤ−Ｒ／ＲＷ、ＤＶＤ等を例示しているが、これに限定されず、フィルムも外部記録媒体に含まれる。
【００４３】
（Ｃ）本実施形態では、モニタ１１に表示されるプリント用データサイズを基準とした複数の書き込み用サイズの中から１つのサイズを選択しているが、これに限定されず、例えばプリントサイズがモニタ１１の適所に表示され、注文者がこれを見ながら、操作受付部１２によって書き込み用サイズの入力枠に数値入力する態様でもよい。この場合、入力枠へプリントサイズを超えるサイズの入力を禁止する、或いはプリントサイズを超えるデータサイズの入力を可能とし、書き込み用データ量の合計がＣＤの記憶容量の範囲内になるように制限してもよい。
【００４４】
（Ｄ）本実施形態では、第１サイズ変換部１５４ａによる拡大又は縮小後の画像データがプリント用データ記憶部１６３ａに記憶され、第２サイズ変換部１５４ｂによって拡大又は縮小後の画像データからプリントサイズの画像データが抽出されているが、第１サイズ変換部１５４ａが画像データの拡大又は縮小処理後に、当該画像データからプリントサイズの画像データを抽出する処理を行い、プリント用データ記憶部１６３ａにプリントサイズの画像データを記憶させるようにしてもよい。
【図面の簡単な説明】
【００４５】
【図１】本発明に係る写真処理装置の外観斜視図の一例である。
【図２】受付装置の制御部の構成を示すブロック図である。
【図３】第１サイズ変換部による画像データのサイズ変換処理の一例を説明するためのデータ図である。
【図４】モニタに表示されるオーダ画面の一例を示す画面図である。
【図５】モニタに表示されるサイズ設定画面の一例を示す画面図である。
【図６】受付装置によりＣＤへの書き込み注文を受け付けた際の制御部による処理の一例を説明するフローチャートである。
【符号の説明】
【００４６】
１０  受付装置
２０  ＣＤ処理装置
３０  デジタルプリンタ
１１  モニタ
１２  操作受付部
１３  画像取込部
１４  通信部
１５  制御部
１５１  受付処理部
１５２  画像取込制御部
１５３  表示制御部
１５４  サイズ変換部
１５４ａ  第１サイズ変換部
１５４ｂ  第２サイズ変換部
１５５  記憶制御部
１５６  書き込み制御部
１５７  プリント制御部
１６  ＨＤＤ
１６１  取込画像記憶部
１６２  画像特性情報記憶部
１６３  変換画像記憶部
１６３ａ  プリント用データ記憶部
１６３ｂ  書込用データ記憶部
【図１】
2006060526.tif 000003
【図２】
2006060526.tif 000004
【図３】
2006060526.tif 000005
【図４】
2006060526.tif 000006
【図５】
2006060526.tif 000007
【図６】
2006060526.tif 000008